(57)【特許請求の範囲】
【請求項１】
ベッドにおけるベッド幅方向側面側に突出させるように設けた取付手段を介してサポート部を装着し、このサポート部は、ボトム側に面する側の前記マットレス上面より突出した上部の中心部に、マットレス上面と同等の高さの平担面を有する凹所を構成し、前記取付手段を、ベッド頭側寄りおよび足側寄りのベッド幅方向側面側に設けることで、これら取付手段を介して装着したサポート部により、ベッド幅方向側面中央近傍に空間部をもたらすようにしたことを特徴とするベッドにおける落下予防装置。
【請求項２】
前記空間部は、乗降用開放空間部であることを特徴とする請求項１記載のベッドにおける落下予防装置。
【請求項３】
前記取付手段は、ベッドにおける幅方向側面側に突出させるように設けたサイドフレームの付属品取付穴によって構成し、この付属品取付穴に支柱部を介してサポート部を着脱可能に装着してなることを特徴とする請求項１記載のベッドにおける落下予防装置。
【請求項４】
前記取付手段は、ボトムを支えるメインフレームに、ベッドにおける幅方向側面側に突出させるように設けた補助部材を有し、この補助部材は、サポート部を支持する支柱部を着脱可能に装着するための取付穴を備えたことを特徴とする請求項１記載のベッドにおける落下予防装置。
【請求項５】
前記取付手段は、ベッドにおける幅方向側面側に突出させるように設けたサイドフレームの付属品取付穴によって構成し、このサイドフレームは、ベッドの頭側、および足側に位置する、ベッド長手方向中間部位を欠いたものであることを特徴とする請求項１記載のベッドにおける落下予防装置。
【請求項６】
前記取付手段は、サポート部を支持し、ボトムの通孔に引掛係止してなる引掛係止具によって構成したことを特徴とする請求項１記載のベッドにおける落下予防装置。
【請求項７】
前記ボトムは線体を格子状に張って構成したボトムであることを特徴とする請求項１ないし４記載のうち、いずれか１記載のベッドにおける落下予防装置。
【請求項８】
前記取付手段は、サポート部を支持し、線体を格子状に張って構成したボトムに引掛係止してなる引掛係止具によって構成したことを特徴とする請求項１記載のベッドにおける落下予防装置。
【請求項９】
前記取付手段は、固定手段を備えたことを特徴とする請求項３、４、６、８記載のベッドにおける落下予防装置。
【請求項１０】
前記取付手段は、サポート部の支持高さを調節して、サポート部における凹所の平担面をマットレス上面と同等の高さに合わせるアジャスタを設けたことを特徴とする請求項１ないし９記載のうち、いずれか１記載のベッドにおける落下予防装置。
【発明の詳細な説明】
【０００１】
【発明の属する技術分野】
本発明は、ベッドにおけるボトム上のマットレス側部側に配置して、落下予防機能と共に、マットレス幅方向に余裕をもたらすことのできる、ベッドにおける落下予防装置に関するものである。
【０００２】
【従来の技術】
従来からベッド、特に病院用ベッドには、落下予防用の側柵等が設けられてきた。
しかしながら、そのような側柵が床板やサイドフレーム側に設けられているといっても、完全に落下を防止できるものではなく、マットレス自体には何の支えもないので、側柵を取り付け忘れたようなときは寝返りによって落下するおそれは高い。そのために、マットレス自体に落下防止機能をもたらすものとして、マットレス幅方向側面側に当接するように配置したベッドにおける落下予防装置（サイドサポータ）が提案されている。
かかるサイドサポータによって、マットレス自体に寝返りによる落下予防用の機能をもたらすことができ、従前の課題は改善された。
【０００３】
【発明が解決しようとする課題】
反面、前記サイドサポータにより、あたかも段差のあるマットレスのごとき印象がもたらされ、床幅、すなわちマットレス幅が限定されたような窮屈感が感じられるのは否めない。
さらに、ベッド中央側面側を空けて、ベッド頭側寄りと足側寄りの箇所にサイドサポータを構成したものでは、就寝中寝返りによって、サイドサポータ間の中央箇所に、腰部から転落してしまうおそれがある。
本発明は、このような背景から提案されたものであって、サイドサポータの配置位置と、サイドサポータの形状をさらに考慮することで、落下予防機能は勿論、快適さを向上させた、ベッドにおける落下予防装置を提供することを目的とする。
【０００４】
【課題を解決するための手段】
前記した課題を解決するために、本発明では、請求項１において、ベッドにおけるベッド幅方向側面側に突出させるように設けた取付手段を介してサポート部を装着し、このサポート部は、ボトム側に面する側の前記マットレス上面より突出した上部の中心部に、マットレス上面と同等の高さの平担面を有する凹所を構成し、前記取付手段を、ベッド頭側寄りおよび足側寄りのベッド幅方向側面側に設けることで、これら取付手段を介して装着したサポート部により、ベッド幅方向側面中央近傍に空間部をもたらすようにしたベッドにおける落下予防装置を開示する。
また本発明では、請求項２において、前記空間部は、乗降用開放空間部であるベッドにおける落下予防装置を開示する。
また本発明では、請求項３において、前記取付手段は、ベッドにおける幅方向側面側に突出させるように設けたサイドフレームの付属品取付穴によって構成し、この付属品取付穴に支柱部を介してサポート部を着脱可能に装着してなるベッドにおける落下予防装置を開示する。
また本発明では、請求項４において、前記取付手段は、ボトムを支えるメインフレームに、ベッドにおける幅方向側面側に突出させるように設けた補助部材を有し、この補助部材は、サポート部を支持する支柱部を着脱可能に装着するための取付穴を備えたベッドにおける落下予防装置を開示する。
また本発明では、請求項５において、前記取付手段は、ベッドにおける幅方向側面側に突出させるように設けたサイドフレームの付属品取付穴によって構成し、このサイドフレームは、ベッドの頭側、および足側に位置する、ベッド長手方向中間部位を欠いたものであるベッドにおける落下予防装置を開示する。
また本発明では、請求項６において、前記取付手段は、サポート部を支持し、ボトムの通孔に引掛係止してなる引掛係止具によって構成したベッドにおける落下予防装置を開示する。
また本発明では、請求項７において、前記ボトムは線体を格子状に張って構成したボトムであるベッドにおける落下予防装置を開示する。
また本発明では、請求項８において、前記取付手段は、サポート部を支持し、線体を格子状に張って構成したボトムに引掛係止してなる引掛係止具によって構成したベッドにおける落下予防装置を開示する。
また本発明では、請求項９において、前記取付手段は、固定手段を備えたベッドにおける落下予防装置を開示する。
さらに本発明では、請求項１０において、前記取付手段は、サポート部の支持高さを調節して、サポート部における凹所の平担面をマットレス上面と同等の高さに合わせるアジャスタを設けたベッドにおける落下予防装置を開示する。
【０００５】
請求項１によれば、ベッド幅方向側面中央近傍を除いて、サポート部が配置されるので、サポート部の凹所における平担面によって床幅が拡張したような余裕がもたらされる。また、ベッド幅方向側面中央近傍には空間部が形成されているので、介護や治療行為の際、好都合である。
【０００６】
請求項２によれば、ベッド頭側寄り、および足側寄りの取付手段を介して保持したサポート部により、ベッド幅方向側面中央近傍に乗降用開放空間部をもたらしたので、乗降の際も、サポート部が邪魔になることはない。
【０００７】
請求項３によれば、サイドフレームのベッド頭側寄り、および足側寄りの付属品取付穴に、支柱部を介してサポート部を着脱可能に装着する。この場合、ベッド幅方向側面中央近傍は空いているので、乗り降りや、治療行為に好都合である。
【０００８】
請求項４によれば、ボトムを支えるメインフレームに、ベッドにおける幅方向側面側に突出させるように補助部材を装着すれば、補助部材における付属品取付穴に、支柱部を介してサポート部を支持することができる。
【０００９】
請求項５によれば、元々ベッド幅方向側面中央箇所を欠いたサイドフレームの付属品取付穴に、支柱部を介してサポート部を装着することができる。
【００１０】
請求項６によれば、サポート部を、ボトムの通孔に、引掛係止してなる引掛係止具によって支持することができる。
【００１１】
請求項７によれば、線体を格子状に張って構成したボトムを有するベッドに装着することも可能である。
【００１２】
請求項８によれば、サポート部を、線体を格子状に張って構成したボトムに、引掛係止してなる引掛係止具によって支持することができる。
【００１３】
請求項９によれば、取付手段に固定手段を設けることにより、痴呆者などがサポート部を引き抜いてしまうようなことを防止することができる。
【００１４】
請求項１０によれば、サポート部の支持高さをアジャスタにより調節することで、サポート部における凹所の平担面をマットレス上面と同等の高さに合わせることができるので、既存のマットレスに合わせることができる。
【００１５】
【発明の実施の態様】
次に、本発明にかかるベッドにおける落下予防装置について、実施の形態を示し、添付の図面に基づいて以下説明する。
図１に、ベッド１に落下予防装置である落下予防用サイドサポータ２を装着したところを示す。
このサイドサポータ２は、ボトム３を支えるメインフレーム（後述）に併設したサイドフレーム４に装着してなる支柱部（後述）により支持して、ボトム３上に載置したマットレス５の幅方向端面側にサポート部６をもたらす構成としている。この場合、サポート部６は、ベッド１のヘッドボード７寄り、およびフットボード８寄りに設けてあるサイドフレーム４の付属品取付穴（後述）に、支柱部９を差し込むことで保持するようにしている。
【００１６】
前記サイドフレーム４は、メインフレーム１０に溶接等によってベッド幅方向に突出するように固設したもので、通常の差込式側柵の支柱部（図示省略）を差し込むようにした付属品取付穴を形成する、受パイプ１１が植設されている（図２参照）。かかる受パイプ１１に、サイドサポータ２の支柱部９を差し込むようにしている。
なお、サイドフレーム４下面側から、受パイプ１１に向けて、受パイプ１１に差し込まれる支柱部９を抜けないように固定する蝶ねじＳを設けることができる。
【００１７】
また、前記サポート部６は、周知の芯材（例えばポリエステル繊維等）を表地で覆って構成したもので、サポート部６は、ボトム３側に面する側の前記マットレス５上面より突出した上部６ａの中心部に、マットレス５上面と同等の高さの平担面１２ａを有する凹所１２を構成している。
すなわち前記サポート部６は、ボトム３上のマットレス５側面に、隙間なく当接させてなる、平坦な下部当接面６ｂを有している。また、前記凹所１２は、サポート部６の上部６ａの長手方向に沿って延在する前記平担面１２ａと、平担面１２ａを、三方から取り囲むように形成した周壁面１２ｂを有している。なお、前記平担面１２ａの長手側両端部の箇所の周壁面１２ｂは、円弧状に形成されている。
また、かかるサポート部６は、例えば支柱部９と一体のパイプ枠部材（図示省略）を骨組みとして芯材でカバーし、この芯材を表地で覆って構成して、剛性を持たせるようにすることもできる。
【００１８】
そして、前記サポート部６は、ベッド１のヘッドボード７寄り、およびフットボード８寄りに設けてあるサイドフレーム４の受パイプ１１に支柱部９を差し込んで保持することで、ベッド幅方向側面中央近傍に、例えば乗降用開放空間部Ｇをもたらすことができるような寸法に設定されている（図１参照）。なお、かかる乗降用開放空間部Ｇは、単に介護行為や治療行為の妨げとならない程度の空間部であってもよい。
【００１９】
以上のような落下予防用サイドサポータ２によれば、通常の側柵に置き換えて、ベッド１側面の長手方向中央近傍を除き、ベッド１のヘッドボード７寄り側と、フットボード８寄り側の側面をカバーするように、サイドフレーム４の受パイプ１１に、支柱部９を差し込んで保持することができる。
前記サポート部６を、下部当接面６ｂを介してマットレス５の幅方向端面に当接するように配置すると、ベッド１側面の長手方向中央箇所には乗降用開放空間部Ｇが生ずる。かかる乗降用開放空間部Ｇを利用して、乗り降りや、治療行為が容易となる。
またその際、マットレス５上面より突出した上部６ａにおける凹所１２の平担面１２ａが、マットレス５上面から、マットレス５幅方向に連続的に展開する位置にもたらされるので、あたかもマットレス５幅方向の寸法を拡張したような余裕がもたらされる。しかも、前記凹所１２は、サポート部６の上部６ａにおいて、前記平担面１２ａを取り囲むように形成した周壁面１２ｂを有しているので、仮に使用者の腰部が、寝返りなどによって前記乗降用開放空間部Ｇからはみ出してきても、足や上半身がそれぞれサポート部６の凹所１２における周壁面１２ｂの端側に引っかかる状態であたるので、落下を防止することができる（図３参照）。
なお、蝶ねじＳにより、受けパイプ１０に差し込まれる支柱部９を抜けないように固定するようにすれば、例えば痴呆者や、子供がサポート部６を引き抜いていたずらするという行為を防止することができる。
【００２０】
本発明にかかるベッドにおける落下予防装置は以下のように構成することもできる。
すなわち図４に示すように、このサイドサポータ２では、サポート部６の取付手段として、ベッド１における、ボトム３を支えるメインフレーム１０に、ボトム幅方向に突出させるように装着してなるアダプタ２０を備えている。
【００２１】
このアダプタ２０は、上枠体２１と下枠体２２とを有し、これら上枠体２１と下枠体２２とは、装着すべきメインフレーム１０に、上下方向から係止するように配置している。この場合、上枠体２１と下枠体２２とは、規格化されたメインフレーム１０の外形に対応した寸法としている。
前記上枠体２１は、メインフレーム１０に装着した際に、ボトム３の幅方向外側に突出しており、この突出箇所上面にサイドサポータ２における支柱部９を差し込むようにした差込穴２３を設けている。
また前記下枠体２２は、上枠体２１に対し締付手段２４により若干離隔した状態で上下動可能な状態で連結している。
【００２２】
この締付手段２４では、ボルト２５を上枠体２１に、下枠体２２を介し挿通すると共に、先端にナット２６を螺着し、前記ボルト２５の下端側に回動可能に取り付けたカムレバー２７を、略水平方向に変位操作することで前記上枠体２１に対し下枠体２２を上動させて装着すべきメインフレーム１０を、上下方向から締付ける構成としている。
なお、前記アダプタ２０の上枠体２１下面側から、差込穴２３に向けて、差込穴２３に差し込まれる支柱部９を抜けないように固定する蝶ねじＳを設けることができる。
【００２３】
以上のようなサイドサポータ２によれば、ボトム３幅方向に突出するサイドフレーム４のないベッドにおいても、アダプタ２０によって、ボトム３直下のメインフレーム１０に、サイドサポータ２を簡単に着脱可能に保持することができる。またその際、アダプタ２０を構成する上枠体２１下面側から、差込穴２３に向けて、差込穴２３に差し込まれる支柱部９を抜けないように、蝶ねじＳにより固定するようにすれば、痴呆者や、子供によるサポート部６を引き抜くなどのいたずら行為を排除することができる。
【００２４】
また本発明にかかるベッドにおける落下予防装置は以下のように構成することもできる。
この場合、サイドサポータ２の取付手段として、図５に示すようにサポート部６に固定した、ボトム３の側面に係止させる係止部材３０と、係止部材３０をボトム３に固定する固定手段としての締付ボルト３１とよりなる構成を用いている。勿論、取付手段はこの構成に限るものではない。なお、図示は省略するが、前記係止部材３０に、サポート部６の取付高さを調節するアジャスタを設けることもできる。
【００２５】
このようにサポート部６をボトム３に取り付けたことにより、サポート部６の長さ寸法を可動ボトム（背ボトム、足ボトム）に合わせれば、ギャッチベッドへの適用も可能である。
また前記係止部材３０に、サポート部６の取付高さを調節するアジャスタを設けることで、厚さ寸法の異なるマットレス５であっても、マットレス５上面に、凹所１２の平担面１２ａを合わせることができる。
【００２６】
また、取付手段としてボトム取付型の別例としては、例えば、図６に示すようにボトムが鋼板をプレス加工して多数の通孔ｈを形成したプレスボトム４０の場合では、通孔ｈに引掛係止してなる引掛係止具４１によってサポート部６を支持する構成としている。
この場合、この引掛係止具４１は、板金を折り曲げ加工して構成したもので、サポート部６底面からサポート部６のボトムに相対する面にかけて密接するように加工すると共に適宜な固定手段（ねじ等）によりサポート部６に固定している。そして、引掛係止具４１の先端側には、前記プレスボトム４０の通孔ｈに、プレスボトム４０の表面から通孔ｈの裏面にかけて引っ掛けるようにした鉤状部Ｆを有している。
【００２７】
かかる構成によれば、引掛係止具４１の先端側の鉤状部Ｆを、プレスボトム４０の通孔ｈに、プレスボトム４０の表面から通孔ｈの裏面にかけて引っ掛けるだけであるから、サイドサポータ２の装着が簡単であり、しかも前記引掛係止具４１は、マットレス５下にあるので、固定手段がなくても脱落するようなことはない。
【００２８】
さらに取付手段としてボトム取付型の別例としては、図７に示すように、サイドサポータ２を、線体を格子状に張って構成したボトム、いわゆるメッシュボトム５０を有するベッド１に、取り付けることも可能である。この場合、取付手段としては、サポート部６底面に取り付けて水平方向に延在させた取付枠５１を用いている。この取付枠５１は、両端側を起曲加工した縁部５１ｅ，５１ｅを有し、一方の縁部５１ｅには、メッシュボトム５０への固定手段である締付ねじ５２を設けている。すなわち、前記取付枠５１の縁部５１ｅ，５１ｅを、メッシュボトム５０を構成する枠縁５０Ｓと線体５０Ｌに引っ掛けて締付ねじ５２により締め付け固定してサポート部６を支持するか、前記取付枠５１の縁部５１ｅ，５１ｅを、枠縁５０Ｓと補強枠５０Ｄとに掛け渡して締付ねじ５２により締め付け固定してサポート部６を支持する構成である。
【００２９】
かかる構成によれば、取付枠５１の縁部５１ｅ，５１ｅを、枠縁５０Ｓと補強枠５０Ｄとに掛け渡して締付ねじ５２により締め付け固定して、サポート部６を支持するだけであるから、サイドサポータ２の装着が簡単であり、必要に応じて取り付けたり、外したりすることができる。
【００３０】
さらに、本発明にかかるサイドサポータ２は、図９に示すベッド１に装着することもできる。この場合、サポート部６は、ベッド１のヘッドボード７寄り、およびフットボード８寄りに設けてあるサイドフレーム４の付属品取付穴（後述）に、支柱部９を差し込むことで保持するようにしている。
【００３１】
前記サイドフレーム４は、元々、ベッド長手方向中央箇所の両側面を欠いたものであるので、ベッドの乗り降りのし易さと、介護のし易さを有する機能を損ねることなく、サイドサポータ２の機能を発揮することができ、これまでのパイプ状の柵部を有する側柵に比較して、見た目にも潤いと落ち着きをもたらすことができる。
【００３２】
さらに、本発明にかかるサイドサポータ２は、図１０に示すように、サイドフレーム４の受パイプ１１に差し込むようにした、サポート部６を支持する支柱部９の末端側に、支柱部９の長さを調節して、サポート部６における凹所１２の平担面１２ａをマットレス５上面と同等の高さに合わせるアジャスタ６０を設けることができる。この場合、アジャスタ６０は、支柱部９末端側に設けたナット６０ｎと、調節ボルト６０Ｓとによって構成している。
【００３３】
以上のようなサイドサポータ２によれば、サポート部６の支持高さをアジャスタ６０により調節することで、サポート部６における凹所１２の平担面１２ａをマットレス５上面と同等の高さに合わせることができるので、既存のマットレスに適合させることができる。
【００３４】
【発明の効果】
以上の通り、本発明によれば、
（１）サポート部の上部側の凹所における平担面がマットレス上面から、マットレス幅方向に連続的に展開する位置にあるので、マットレスの幅を拡張したような余裕がもたらされる。
（２）サポート部の上部の凹所に使用者の腰部が、寝返りなどによってはみだしてきても、平担面および周壁面によって、落下しないように支えることができる。
（３）サイドフレームの付属品取付穴を取り付けに利用するものにあっては、既存のベッドにも簡単にサポート部を保持することができ、落下予防と共に、マットレスの幅方向への余裕をもたらすことができる。
（４）サポート部を支持する支柱部をクランプ手段によってメインフレームに取り付けるものにあっては、メインフレームの適所に取り付けることができる。
（５）あらゆる既存のベッドに取り付けることができる。
【００３５】
【図面の簡単な説明】
【図１】本発明にかかるベッドにおける落下予防装置を装着したベッドの一例を示した、外観斜視図である。
【図２】図１に示すベッドにおける落下予防装置において、Ａ−Ａ線に沿って切断して見た、要部接断矢視図である。
【図３】図１に示すベッドにおける落下予防装置の作用を説明する斜視図である。
【図４】別例にかかるベッドにおける落下予防装置を、ベッドに装着した構造を示す要部断面説明図である。
【図５】ベッドにおける落下予防装置の別の取付構造を示す、断面説明図である。
【図６】別の取付手段による落下予防装置の斜視説明図である。
【図７】図６に示す落下予防装置を、ベッドに装着した構造を示す要部断面説明図である。
【図８】線体を格子状に張って構成したボトムを有するベッドに装着する、落下予防装置の斜視説明図である。
【図９】ベッド長手方向側面中央箇所を欠いたサイドフレームに落下予防装置を装着した一例を示す、外観斜視図である。
【図１０】取付手段に設けたサポート部のアジャスタの一例を示す、要部説明図である。
【符号の説明】
１                      ベッド
２                      サイドサポータ
３                      ボトム
４                      サイドフレーム
５                      マットレス
６                      サポート部
６ａ                    上部
６ｂ                    下部当接面
７                      ヘッドボード
８                      フットボード
９                      支柱部
１０                    メインフレーム
１１                    受パイプ
１２                    凹所
１２ａ                  平担面
１２ｂ                  周壁面
２０                    アダプタ
２１                    上枠体
２２                    下枠体
２３                    差込穴
２４                    締付手段
２５                    ボルト
２６                    ナット
２７                    カムレバー
３０                    係止部材
３１                    締付ボルト
４０                    プレスボトム
４１                    引掛係止具
５０                    メッシュボトム
５０Ｌ                  線体
５０ｓ                  枠縁
５０ｄ                  補強枠
５１                    取付枠
５１ｅ                  縁部
５２                    締付ねじ
６０                    アジャスタ
６０ｎ                  ナット
６０ｓ                  調節ボルト
Ｇ                      乗降用開放空間部
ｈ                      通孔
Ｆ                      鉤状部
Ｓ                      蝶ねじ
【図１】
0003601704.tif 000002
【図２】
0003601704.tif 000003
【図３】
0003601704.tif 000004
【図４】
0003601704.tif 000005
【図５】
0003601704.tif 000006
【図６】
0003601704.tif 000007
【図７】
0003601704.tif 000008
【図８】
0003601704.tif 000009
【図９】
0003601704.tif 000010
【図１０】
0003601704.tif 000011